(57)【要約】【課題】本発明は鉛筆削りを開示した。【解決手段】本発明は鉛筆削りを開示し、外殻を含み、前記外殻の中には作動チャンバが設置され、前記作動チャンバの上端には外部空間と連通した入り溝が設置され、前記作動チャンバの下端壁にはモーターが固定的に設置され、前記モーターの上端には動力軸が連結され、前記動力軸の上端には前記作動チャンバの上端壁と回転できるように連結された鉛筆削りカッターが固定的に設置され、本発明は自動的に鉛筆を鋭く削れ、手動で鉛筆を削る力も時間も大変かかる欠点を克服でき、同時に削くずが手を黒く染めることを防止し、鉛筆を削る同時に手の清潔を保証できる。【選択図】図１
2020179656.tif 000002
【特許請求の範囲】
【請求項１】
正面視で、鉛筆削りであって、外殻を含み、前記外殻の中には作動チャンバが設置され、前記作動チャンバの上端には外部空間と連通した入り溝が設置され、前記作動チャンバの下端壁にはモーターが固定的に設置され、前記モーターの上端には動力軸が連結され、前記動力軸の上端には前記作動チャンバの上端壁と回転できるように連結された鉛筆削りカッターが固定的に設置され、前記モーターには小プーリが上下に対称的に固定的に設置され、前記作動チャンバの左右端壁にはベルト溝が対称的に設置され、前記ベルト溝のもう一端にはそれぞれ切替溝が連通しており、前記切替溝の上端壁には伝動チャンバが設置され、前記切替溝の下端壁には連動軸が回転できるように連結され、前記連動軸の下端には大プーリが固定的に設置され、前記大プーリと前記小プーリとの間にはベルトが連結され、前記連動軸の上端には第一傘歯車が固定的に設置され、前記伝動チャンバの上端壁には縦軸が回転できるように連結され、前記縦軸の上端には第四傘歯車が固定的に設置され、前記縦軸の中端には歯車が固定的に設置され、前記縦軸の下端には第三傘歯車が固定的に設置され、前記外殻の左右両端面には前記切替溝と連通し合っている抜き溝が対称的に設置され、前記抜き溝の中には長い棒がスライドできるように連結され、前記長い棒の外端にはボタンが固定的に設置され、前記ボタンと外殻との間にはボタン撥条が連結され、前記長い棒の前端面には前記歯車と噛合できるラックが固定的に設置され、前記長い棒のもう一端には移動板が固定的に設置され、前記移動板には短い軸が回転できるように連結され、前記短い軸のもう一端には前記第三傘歯車と前記第一傘歯車と噛合できる第二傘歯車が固定的に設置され、前記入り溝の左右端壁には内凹み溝が対称的に設置され、前記内凹み溝には長いスライド溝が連通しており、前記長いスライド溝と前記内凹み溝との間には転送装置が設置され、前記転送装置が鉛筆の上下の移動を制御でき、前記作動チャンバの後端壁には落ち口が設置され、前記落ち口の後端壁には収集チャンバが設置され、前記収集チャンバの中には削くずを収集できる収集装置が設置されることを特徴とする鉛筆削り。
【請求項２】
前記転送装置は前記長いスライド溝と前記伝動チャンバの中に回転できるように取り付けられた横軸を含み、前記横軸の一端には前記第四傘歯車と噛合した第五傘歯車が固定的に設置され、前記横軸のもう一端には第六傘歯車が固定的に設置され、前記長いスライド溝の中には移動スライダがスライドできるように連結され、前記移動スライダと前記挟み板の間には小撥条が上下に対称的に連結され、前記移動スライダには挟み板が前後に対称的に固定的に連結され、前記挟み板の間には連結軸が回転できるように連結され、前記連結軸の後端にはロールが固定的に設置され、前記ロールの回転によって鉛筆を上下に移動連動させることができ、前記連結軸の前端には前記第六傘歯車と噛合できる第七傘歯車が固定的に設置されていることを特徴とする請求項１に記載の鉛筆削り。
【請求項３】
前記収集装置は前記作動チャンバの前後左右の端壁に固定的に取り付けられた仕切板を含み、前記仕切板と前記動力軸とが回転できるように連結され、前記収集チャンバの後端壁には開けられる仕切板ドアが設置され、
前記収集チャンバの中の削くずが多くなったら、仕切板ドアを開けて前記収集チャンバの中の削くずを取り出すことを特徴とする請求項１に記載の鉛筆削り。
【発明の詳細な説明】
【技術分野】
【０００１】
本発明は文房具の分野を取り上げて、具体的には鉛筆削りである。
【背景技術】
【０００２】
鉛筆はある程度に使われる時鉛筆削りが必要であり、現在一般的な鉛筆削りは操作員が手動で鉛筆を回して鉛筆を削り、この方法は効率が低いだけではなく、削くずが手を汚しやすい。
【先行技術文献】
【特許文献】
【０００３】
【特許文献１】中国特許出願公開第107031248号明細書
【発明の概要】
【発明が解決しようとする課題】
【０００４】
本発明の目的は鉛筆削りを提供し、上記背景技術に提出される問題を解決できる。
【課題を解決するための手段】
【０００５】
本発明において提供した実施例：鉛筆削りは、外殻を含み、前記外殻の中には作動チャンバが設置され、前記作動チャンバの上端には外部空間と連通した入り溝が設置され、前記作動チャンバの下端壁にはモーターが固定的に設置され、前記モーターの上端には動力軸が連結され、前記動力軸の上端には前記作動チャンバの上端壁と回転できるように連結された鉛筆削りカッターが固定的に設置され、前記モーターには小プーリが上下に対称的に固定的に設置され、前記作動チャンバの左右端壁にはベルト溝が対称的に設置され、前記ベルト溝のもう一端にはそれぞれ切替溝が連通しており、前記切替溝の上端壁には伝動チャンバが設置され、前記切替溝の下端壁には連動軸が回転できるように連結され、前記連動軸の下端には大プーリが固定的に設置され、前記大プーリと前記小プーリとの間にはベルトが連結され、前記連動軸の上端には第一傘歯車が固定的に設置され、前記伝動チャンバの上端壁には縦軸が回転できるように連結され、前記縦軸の上端には第四傘歯車が固定的に設置され、前記縦軸の中端には歯車が固定的に設置され、前記縦軸の下端には第三傘歯車が固定的に設置され、前記外殻の左右両端面には前記切替溝と連通し合っている抜き溝が対称的に設置され、前記抜き溝の中には長い棒がスライドできるように連結され、前記長い棒の外端にはボタンが固定的に設置され、前記ボタンと外殻との間にはボタン撥条が連結され、前記長い棒の前端面には前記歯車と噛合できるラックが固定的に設置され、前記長い棒のもう一端には移動板が固定的に設置され、前記移動板には短い軸が回転できるように連結され、前記短い軸のもう一端には前記第三傘歯車と前記第一傘歯車と噛合できる第二傘歯車が固定的に設置され、前記入り溝の左右端壁には内凹み溝が対称的に設置され、前記内凹み溝には長いスライド溝が連通しており、前記長いスライド溝と前記内凹み溝との間には転送装置が設置され、前記転送装置が鉛筆の上下の移動を制御でき、前記作動チャンバの後端壁には落ち口が設置され、前記落ち口の後端壁には収集チャンバが設置され、前記収集チャンバの中には削くずを収集できる収集装置が設置される。
【０００６】
更なる技術方案、前記転送装置は前記長いスライド溝と前記伝動チャンバの中に回転できるように取り付けられた横軸を含み、前記横軸の一端には前記第四傘歯車と噛合した第五傘歯車が固定的に設置され、前記横軸のもう一端には第六傘歯車が固定的に設置され、前記長いスライド溝の中には移動スライダがスライドできるように連結され、前記移動スライダと前記挟み板の間には小撥条が上下に対称的に連結され、前記移動スライダには挟み板が前後に対称的に固定的に連結され、前記挟み板の間には連結軸が回転できるように連結され、前記連結軸の後端にはロールが固定的に設置され、前記ロールの回転によって鉛筆を上下に移動連動させることができ、前記連結軸の前端には前記第六傘歯車と噛合できる第七傘歯車が固定的に設置されている。
【０００７】
前記収集装置は前記作動チャンバの前後左右の端壁に固定的に取り付けられた仕切板を含み、前記仕切板と前記動力軸とが回転できるように連結され、前記収集チャンバの後端壁には開けられる仕切板ドアが設置され、
前記収集チャンバの中の削くずが多くなったら、仕切板ドアを開けて前記収集チャンバの中の削くずを取り出す。
【発明の効果】
【０００８】
本発明の有益な効果は：本発明は自動的に鉛筆を鋭く削れ、手動で鉛筆を削る力も時間も大変かかる欠点を克服でき、同時に削くずが手を黒く染めることを防止し、鉛筆を削る同時に手の清潔を保証できる。
【図面の簡単な説明】
【０００９】
下記に図1〜４をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１０】
【図１】図1は本発明の鉛筆削りの全体断面の正面構成模式図
【図２】図2は本発明の図1のAの局部拡大模式図
【図３】図3は本発明の図1のB―Bの方向の断面図
【図４】図4は本発明の図1のC―Cの方向の断面図
【発明を実施するための形態】
【００１１】
本説明書に公開されるいずれもの特徴、或いは公開されるいずれもの方法或いは過程中の順序は互いに排斥する特徴/或いは順序以外、いかなる方式によって組み合わせる。
【００１２】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１３】
図1〜4を参考して、本発明において提供した実施例：鉛筆削りは、外殻21を含み、前記外殻21の中には作動チャンバ41が設置され、前記作動チャンバ41の上端には外部空間と連通した入り溝22が設置され、前記作動チャンバ41の下端壁にはモーター37が固定的に設置され、前記モーター37の上端には動力軸38が連結され、前記動力軸38の上端には前記作動チャンバ41の上端壁と回転できるように連結された鉛筆削りカッター39が固定的に設置され、前記モーター37には小プーリ36が上下に対称的に固定的に設置され、前記作動チャンバ41の左右端壁にはベルト溝35が対称的に設置され、前記ベルト溝35のもう一端にはそれぞれ切替溝25が連通しており、前記切替溝25の上端壁には伝動チャンバ23が設置され、前記切替溝25の下端壁には連動軸33が回転できるように連結され、前記連動軸33の下端には大プーリ32が固定的に設置され、前記大プーリと前記小プーリ36との間にはベルト34が連結され、前記連動軸33の上端には第一傘歯車44が固定的に設置され、前記伝動チャンバ23の上端壁には縦軸24が回転できるように連結され、前記縦軸24の上端には第四傘歯車55が固定的に設置され、前記縦軸24の中端には歯車48が固定的に設置され、前記縦軸24の下端には第三傘歯車46が固定的に設置され、前記外殻21の左右両端面には前記切替溝25と連通し合っている抜き溝30が対称的に設置され、前記抜き溝30の中には長い棒29がスライドできるように連結され、前記長い棒29の外端にはボタン27が固定的に設置され、前記ボタン27と外殻21との間にはボタン撥条28が連結され、前記長い棒29の前端面には前記歯車48と噛合できるラック26が固定的に設置され、前記長い棒29のもう一端には移動板42が固定的に設置され、前記移動板42には短い軸43が回転できるように連結され、前記短い軸43のもう一端には前記第三傘歯車46と前記第一傘歯車44と噛合できる第二傘歯車45が固定的に設置され、前記入り溝22の左右端壁には内凹み溝52が対称的に設置され、前記内凹み溝52には長いスライド溝54が連通しており、前記長いスライド溝54と前記内凹み溝52との間には転送装置101が設置され、前記転送装置101が鉛筆の上下の移動を制御でき、前記作動チャンバ41の後端壁には落ち口63が設置され、前記落ち口63の後端壁には収集チャンバ61が設置され、前記収集チャンバ61の中には削くずを収集できる収集装置102が設置される。
【００１４】
前記転送装置101は前記長いスライド溝54と前記伝動チャンバ23の中に回転できるように取り付けられた横軸59を含み、前記横軸59の一端には前記第四傘歯車55と噛合した第五傘歯車56が固定的に設置され、前記横軸59のもう一端には第六傘歯車60が固定的に設置され、前記長いスライド溝54の中には移動スライダ58がスライドできるように連結され、前記移動スライダ58と前記挟み板53の間には小撥条57が上下に対称的に連結され、前記移動スライダ58には挟み板53が前後に対称的に固定的に連結され、前記挟み板53の間には連結軸49が回転できるように連結され、前記連結軸49の後端にはロール51が固定的に設置され、前記ロール51の回転によって鉛筆を上下に移動連動させることができ、前記連結軸49の前端には前記第六傘歯車60と噛合できる第七傘歯車50が固定的に設置されている。
【００１５】
前記収集装置102は前記作動チャンバ41の前後左右の端壁に固定的に取り付けられた仕切板40を含み、前記仕切板40と前記動力軸38とが回転できるように連結され、前記収集チャンバ61の後端壁には開けられる仕切板ドア62が設置され、
前記収集チャンバ61の中の削くずが多くなったら、仕切板ドア62を開けて前記収集チャンバ61の中の削くずを取り出す。
【００１６】
使用する時、まずは鉛筆を入り溝22から下に差し込み、ロール51が挟み板53と移動スライダ58とを移動連動させ、ロール51が鉛筆をきつく挟み、第七傘歯車50と第六傘歯車60とを噛合させ、そしてモーター37を始動し、それにより動力軸38の回転によって小プーリ36と、大プーリ32と、連動軸33と、第一傘歯車44と、第二傘歯車45と、第三傘歯車46と、縦軸24と、第四傘歯車55と、第五傘歯車56と、横軸59と、第六傘歯車60と、第七傘歯車50と、連結軸49と、ロール51とを回転連動させ、それにより鉛筆を下に送り込み、動力軸38が鉛筆削りカッター39を回転連動させ、それにより送り込まれた鉛筆を鋭く削り、削くずが仕切板40を経由して収集チャンバ61の中に滑り落ち、削り終わった時、二つのボタン27を押し、それにより長い棒29とラック26とを移動連動させ、それにより移動板42によって短い軸43と第二傘歯車45とを移動連動させ、第二傘歯車45を第一傘歯車44と第三傘歯車46との噛合状態から離脱させ、ラック26が歯車48と噛み合い、それにより歯車48と、縦軸24と、第四傘歯車55と、第五傘歯車56と、横軸59と、第六傘歯車60と、第七傘歯車50と、連結軸59を反方向に回転連動させ、鉛筆を送り出す。
【００１７】
本発明の有益な効果は：本発明は自動的に鉛筆を鋭く削れ、手動で鉛筆を削る力も時間も大変かかる欠点を克服でき、同時に削くずが手を黒く染めることを防止し、鉛筆を削る同時に手の清潔を保証できる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179656.tif 000003
【図２】
2020179656.tif 000004
【図３】
2020179656.tif 000005
【図４】
2020179656.tif 000006
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
正面視で、鉛筆削りであって、外殻を含み、前記外殻の中には作動チャンバが設置され、前記作動チャンバの上端には外部空間と連通した入り溝が設置され、前記作動チャンバの下端壁にはモーターが固定的に設置され、前記モーターの上端には動力軸が連結され、前記動力軸の上端には前記作動チャンバの上端壁と回転できるように連結された鉛筆削りカッターが固定的に設置され、前記モーターには小プーリが上下に対称的に固定的に設置され、前記作動チャンバの左右端壁にはベルト溝が対称的に設置され、前記ベルト溝のもう一端にはそれぞれ切替溝が連通しており、前記切替溝の上端壁には伝動チャンバが設置され、前記切替溝の下端壁には連動軸が回転できるように連結され、前記連動軸の下端には大プーリが固定的に設置され、前記大プーリと前記小プーリとの間にはベルトが連結され、前記連動軸の上端には第一傘歯車が固定的に設置され、前記伝動チャンバの上端壁には縦軸が回転できるように連結され、前記縦軸の上端には第四傘歯車が固定的に設置され、前記縦軸の中端には歯車が固定的に設置され、前記縦軸の下端には第三傘歯車が固定的に設置され、前記外殻の左右両端面には前記切替溝と連通し合っている抜き溝が対称的に設置され、前記抜き溝の中には長い棒がスライドできるように連結され、前記長い棒の外端にはボタンが固定的に設置され、前記ボタンと外殻との間にはボタン撥条が連結され、前記長い棒の前端面には前記歯車と噛合できるラックが固定的に設置され、前記長い棒のもう一端には移動板が固定的に設置され、前記移動板には短い軸が回転できるように連結され、前記短い軸のもう一端には前記第三傘歯車と前記第一傘歯車と噛合できる第二傘歯車が固定的に設置され、前記入り溝の左右端壁には内凹み溝が対称的に設置され、前記内凹み溝には長いスライド溝が連通しており、前記長いスライド溝と前記内凹み溝との間には転送装置が設置され、前記転送装置が鉛筆の上下の移動を制御でき、前記作動チャンバの後端壁には落ち口が設置され、前記落ち口の後端壁には収集チャンバが設置され、前記収集チャンバの中には削くずを収集できる収集装置が設置されており、
前記転送装置は前記長いスライド溝と前記伝動チャンバの中に回転できるように取り付けられた横軸を含み、前記横軸の一端には前記第四傘歯車と噛合した第五傘歯車が固定的に設置され、前記横軸のもう一端には第六傘歯車が固定的に設置され、前記長いスライド溝の中には移動スライダがスライドできるように連結され、前記移動スライダには挟み板が前後に対称的に固定的に連結され、前記移動スライダと前記挟み板の間には小撥条が上下に対称的に連結され、前記挟み板の間には連結軸が回転できるように連結され、前記連結軸の後端にはロールが固定的に設置され、前記ロールの回転によって鉛筆を上下に移動連動させることができ、前記連結軸の前端には前記第六傘歯車と噛合できる第七傘歯車が固定的に設置されていることを特徴とする鉛筆削り。
【請求項２】
前記収集装置は前記作動チャンバの前後左右の端壁に固定的に取り付けられた仕切板を含み、前記仕切板と前記動力軸とが回転できるように連結され、前記収集チャンバの後端壁には開けられる仕切板ドアが設置され、
前記収集チャンバの中の削くずが多くなったら、仕切板ドアを開けて前記収集チャンバの中の削くずを取り出すことを特徴とする請求項１に記載の鉛筆削り。
【手続補正２】
【補正対象書類名】明細書
【補正対象項目名】全文
【補正方法】変更
【補正の内容】
【発明の詳細な説明】
【技術分野】
【０００１】
本発明は文房具の分野を取り上げて、具体的には鉛筆削りである。
【背景技術】
【０００２】
鉛筆はある程度に使われる時鉛筆削りが必要であり、現在一般的な鉛筆削りは操作員が手動で鉛筆を回して鉛筆を削り、この方法は効率が低いだけではなく、削くずが手を汚しやすい。
【先行技術文献】
【特許文献】
【０００３】
【特許文献１】中国特許出願公開第107031248号明細書
【発明の概要】
【発明が解決しようとする課題】
【０００４】
本発明の目的は鉛筆削りを提供し、上記背景技術に提出される問題を解決できる。
【課題を解決するための手段】
【０００５】
本発明において提供した実施例：鉛筆削りは、外殻を含み、前記外殻の中には作動チャンバが設置され、前記作動チャンバの上端には外部空間と連通した入り溝が設置され、前記作動チャンバの下端壁にはモーターが固定的に設置され、前記モーターの上端には動力軸が連結され、前記動力軸の上端には前記作動チャンバの上端壁と回転できるように連結された鉛筆削りカッターが固定的に設置され、前記モーターには小プーリが上下に対称的に固定的に設置され、前記作動チャンバの左右端壁にはベルト溝が対称的に設置され、前記ベルト溝のもう一端にはそれぞれ切替溝が連通しており、前記切替溝の上端壁には伝動チャンバが設置され、前記切替溝の下端壁には連動軸が回転できるように連結され、前記連動軸の下端には大プーリが固定的に設置され、前記大プーリと前記小プーリとの間にはベルトが連結され、前記連動軸の上端には第一傘歯車が固定的に設置され、前記伝動チャンバの上端壁には縦軸が回転できるように連結され、前記縦軸の上端には第四傘歯車が固定的に設置され、前記縦軸の中端には歯車が固定的に設置され、前記縦軸の下端には第三傘歯車が固定的に設置され、前記外殻の左右両端面には前記切替溝と連通し合っている抜き溝が対称的に設置され、前記抜き溝の中には長い棒がスライドできるように連結され、前記長い棒の外端にはボタンが固定的に設置され、前記ボタンと外殻との間にはボタン撥条が連結され、前記長い棒の前端面には前記歯車と噛合できるラックが固定的に設置され、前記長い棒のもう一端には移動板が固定的に設置され、前記移動板には短い軸が回転できるように連結され、前記短い軸のもう一端には前記第三傘歯車と前記第一傘歯車と噛合できる第二傘歯車が固定的に設置され、前記入り溝の左右端壁には内凹み溝が対称的に設置され、前記内凹み溝には長いスライド溝が連通しており、前記長いスライド溝と前記内凹み溝との間には転送装置が設置され、前記転送装置が鉛筆の上下の移動を制御でき、前記作動チャンバの後端壁には落ち口が設置され、前記落ち口の後端壁には収集チャンバが設置され、前記収集チャンバの中には削くずを収集できる収集装置が設置される。
【０００６】
更なる技術方案、前記転送装置は前記長いスライド溝と前記伝動チャンバの中に回転できるように取り付けられた横軸を含み、前記横軸の一端には前記第四傘歯車と噛合した第五傘歯車が固定的に設置され、前記横軸のもう一端には第六傘歯車が固定的に設置され、前記長いスライド溝の中には移動スライダがスライドできるように連結され、前記移動スライダには挟み板が前後に対称的に固定的に連結され、前記移動スライダと前記挟み板の間には小撥条が上下に対称的に連結され、前記挟み板の間には連結軸が回転できるように連結され、前記連結軸の後端にはロールが固定的に設置され、前記ロールの回転によって鉛筆を上下に移動連動させることができ、前記連結軸の前端には前記第六傘歯車と噛合できる第七傘歯車が固定的に設置されている。
【０００７】
前記収集装置は前記作動チャンバの前後左右の端壁に固定的に取り付けられた仕切板を含み、前記仕切板と前記動力軸とが回転できるように連結され、前記収集チャンバの後端壁には開けられる仕切板ドアが設置され、
前記収集チャンバの中の削くずが多くなったら、仕切板ドアを開けて前記収集チャンバの中の削くずを取り出す。
【発明の効果】
【０００８】
本発明の有益な効果は：本発明は自動的に鉛筆を鋭く削れ、手動で鉛筆を削る力も時間も大変かかる欠点を克服でき、同時に削くずが手を黒く染めることを防止し、鉛筆を削る同時に手の清潔を保証できる。
【図面の簡単な説明】
【０００９】
下記に図1〜４をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１０】
【図１】図1は本発明の鉛筆削りの全体断面の正面構成模式図
【図２】図2は本発明の図1のAの局部拡大模式図
【図３】図3は本発明の図1のB―Bの方向の断面図
【図４】図4は本発明の図1のC―Cの方向の断面図
【発明を実施するための形態】
【００１１】
本説明書に公開されるいずれもの特徴、或いは公開されるいずれもの方法或いは過程中の順序は互いに排斥する特徴/或いは順序以外、いかなる方式によって組み合わせる。
【００１２】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１３】
図1〜4を参考して、本発明において提供した実施例：鉛筆削りは、外殻21を含み、前記外殻21の中には作動チャンバ41が設置され、前記作動チャンバ41の上端には外部空間と連通した入り溝22が設置され、前記作動チャンバ41の下端壁にはモーター37が固定的に設置され、前記モーター37の上端には動力軸38が連結され、前記動力軸38の上端には前記作動チャンバ41の上端壁と回転できるように連結された鉛筆削りカッター39が固定的に設置され、前記モーター37には小プーリ36が上下に対称的に固定的に設置され、前記作動チャンバ41の左右端壁にはベルト溝35が対称的に設置され、前記ベルト溝35のもう一端にはそれぞれ切替溝25が連通しており、前記切替溝25の上端壁には伝動チャンバ23が設置され、前記切替溝25の下端壁には連動軸33が回転できるように連結され、前記連動軸33の下端には大プーリ32が固定的に設置され、前記大プーリと前記小プーリ36との間にはベルト34が連結され、前記連動軸33の上端には第一傘歯車44が固定的に設置され、前記伝動チャンバ23の上端壁には縦軸24が回転できるように連結され、前記縦軸24の上端には第四傘歯車55が固定的に設置され、前記縦軸24の中端には歯車48が固定的に設置され、前記縦軸24の下端には第三傘歯車46が固定的に設置され、前記外殻21の左右両端面には前記切替溝25と連通し合っている抜き溝30が対称的に設置され、前記抜き溝30の中には長い棒29がスライドできるように連結され、前記長い棒29の外端にはボタン27が固定的に設置され、前記ボタン27と外殻21との間にはボタン撥条28が連結され、前記長い棒29の前端面には前記歯車48と噛合できるラック26が固定的に設置され、前記長い棒29のもう一端には移動板42が固定的に設置され、前記移動板42には短い軸43が回転できるように連結され、前記短い軸43のもう一端には前記第三傘歯車46と前記第一傘歯車44と噛合できる第二傘歯車45が固定的に設置され、前記入り溝22の左右端壁には内凹み溝52が対称的に設置され、前記内凹み溝52には長いスライド溝54が連通しており、前記長いスライド溝54と前記内凹み溝52との間には転送装置101が設置され、前記転送装置101が鉛筆の上下の移動を制御でき、前記作動チャンバ41の後端壁には落ち口63が設置され、前記落ち口63の後端壁には収集チャンバ61が設置され、前記収集チャンバ61の中には削くずを収集できる収集装置102が設置される。
【００１４】
前記転送装置101は前記長いスライド溝54と前記伝動チャンバ23の中に回転できるように取り付けられた横軸59を含み、前記横軸59の一端には前記第四傘歯車55と噛合した第五傘歯車56が固定的に設置され、前記横軸59のもう一端には第六傘歯車60が固定的に設置され、前記長いスライド溝54の中には移動スライダ58がスライドできるように連結され、前記移動スライダ58には挟み板53が前後に対称的に固定的に連結され、前記移動スライダ58と前記挟み板53の間には小撥条57が上下に対称的に連結され、前記挟み板53の間には連結軸49が回転できるように連結され、前記連結軸49の後端にはロール51が固定的に設置され、前記ロール51の回転によって鉛筆を上下に移動連動させることができ、前記連結軸49の前端には前記第六傘歯車60と噛合できる第七傘歯車50が固定的に設置されている。
【００１５】
前記収集装置102は前記作動チャンバ41の前後左右の端壁に固定的に取り付けられた仕切板40を含み、前記仕切板40と前記動力軸38とが回転できるように連結され、前記収集チャンバ61の後端壁には開けられる仕切板ドア62が設置され、
前記収集チャンバ61の中の削くずが多くなったら、仕切板ドア62を開けて前記収集チャンバ61の中の削くずを取り出す。
【００１６】
使用する時、まずは鉛筆を入り溝22から下に差し込み、ロール51が挟み板53と移動スライダ58とを移動連動させ、ロール51が鉛筆をきつく挟み、第七傘歯車50と第六傘歯車60とを噛合させ、そしてモーター37を始動し、それにより動力軸38の回転によって小プーリ36と、大プーリ32と、連動軸33と、第一傘歯車44と、第二傘歯車45と、第三傘歯車46と、縦軸24と、第四傘歯車55と、第五傘歯車56と、横軸59と、第六傘歯車60と、第七傘歯車50と、連結軸49と、ロール51とを回転連動させ、それにより鉛筆を下に送り込み、動力軸38が鉛筆削りカッター39を回転連動させ、それにより送り込まれた鉛筆を鋭く削り、削くずが仕切板40を経由して収集チャンバ61の中に滑り落ち、削り終わった時、二つのボタン27を押し、それにより長い棒29とラック26とを移動連動させ、それにより移動板42によって短い軸43と第二傘歯車45とを移動連動させ、第二傘歯車45を第一傘歯車44と第三傘歯車46との噛合状態から離脱させ、ラック26が歯車48と噛み合い、それにより歯車48と、縦軸24と、第四傘歯車55と、第五傘歯車56と、横軸59と、第六傘歯車60と、第七傘歯車50と、連結軸59を反方向に回転連動させ、鉛筆を送り出す。
【００１７】
本発明の有益な効果は：本発明は自動的に鉛筆を鋭く削れ、手動で鉛筆を削る力も時間も大変かかる欠点を克服でき、同時に削くずが手を黒く染めることを防止し、鉛筆を削る同時に手の清潔を保証できる。
【００１８】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
正面視で、鉛筆削りであって、外殻を含み、前記外殻の中には作動チャンバが設置され、前記作動チャンバの上端には外部空間と連通した入り溝が設置され、前記作動チャンバの下端壁にはモーターが固定的に設置され、前記モーターの上端には動力軸が連結され、前記動力軸の上端には前記作動チャンバの上端壁と回転できるように連結された鉛筆削りカッターが固定的に設置され、前記モーターには小プーリが上下に対称的に固定的に設置され、前記作動チャンバの左右端壁にはベルト溝が対称的に設置され、前記ベルト溝のもう一端にはそれぞれ切替溝が連通しており、前記切替溝の上端壁には伝動チャンバが設置され、前記切替溝の下端壁には連動軸が回転できるように連結され、前記連動軸の下端には大プーリが固定的に設置され、前記大プーリと前記小プーリとの間にはベルトが連結され、前記連動軸の上端には第一傘歯車が固定的に設置され、前記伝動チャンバの上端壁には縦軸が回転できるように連結され、前記縦軸の上端には第四傘歯車が固定的に設置され、前記縦軸の中端には歯車が固定的に設置され、前記縦軸の下端には第三傘歯車が固定的に設置され、前記外殻の左右両端面には前記切替溝と連通し合っている抜き溝が対称的に設置され、前記抜き溝の中には長い棒がスライドできるように連結され、前記長い棒の外端にはボタンが固定的に設置され、前記ボタンと外殻との間にはボタン撥条が連結され、前記長い棒の前端面には前記歯車と噛合できるラックが固定的に設置され、前記長い棒のもう一端には移動板が固定的に設置され、前記移動板には短い軸が回転できるように連結され、前記短い軸のもう一端には前記第三傘歯車と前記第一傘歯車と噛合できる第二傘歯車が固定的に設置され、前記入り溝の左右端壁には内凹み溝が対称的に設置され、前記内凹み溝には長いスライド溝が連通しており、前記長いスライド溝と前記内凹み溝との間には転送装置が設置され、前記転送装置が鉛筆の上下の移動を制御でき、前記作動チャンバの後端壁には落ち口が設置され、前記落ち口の後端壁には収集チャンバが設置され、前記収集チャンバの中には削くずを収集できる収集装置が設置されており、
前記転送装置は前記長いスライド溝と前記伝動チャンバの中に回転できるように取り付けられた横軸を含み、前記横軸の一端には前記第四傘歯車と噛合した第五傘歯車が固定的に設置され、前記横軸のもう一端には第六傘歯車が固定的に設置され、前記長いスライド溝の中には移動スライダがスライドできるように連結され、前記移動スライダには挟み板が前後に対称的に固定的に連結され、前記移動スライダと前記挟み板の間には小撥条が上下に対称的に連結され、前記挟み板の間には連結軸が回転できるように連結され、前記連結軸の後端にはロールが固定的に設置され、前記ロールの回転によって鉛筆を上下に移動連動させることができ、前記連結軸の前端には前記第六傘歯車と噛合できる第七傘歯車が固定的に設置され、前記モーターを始動し、それにより前記動力軸の回転によって前記小プーリと、前記大プーリと、前記連動軸と、前記第一傘歯車と、前記第二傘歯車と、前記第三傘歯車と、前記縦軸と、前記第四傘歯車と、前記第五傘歯車と、前記横軸と、前記第六傘歯車と、前記第七傘歯車と、前記連結軸と、前記ロールとを回転連動させ、それにより鉛筆を下に送り込み、前記動力軸が前記鉛筆削りカッターを回転連動させ、それにより送り込まれた鉛筆を鋭く削り、削くずが仕切板を経由して前記収集チャンバの中に滑り落ち、削り終わった時、二つの前記ボタンを押し、それにより前記長い棒と前記ラックとを移動連動させ、それにより前記移動板によって前記短い軸と前記第二傘歯車とを移動連動させ、前記第二傘歯車を前記第一傘歯車と前記第三傘歯車との噛合状態から離脱させ、前記ラックが前記歯車と噛み合い、それにより前記歯車と、前記縦軸と、前記第四傘歯車と、前記第五傘歯車と、前記横軸と、前記第六傘歯車と、前記第七傘歯車と、前記連結軸を反方向に回転連動させ、鉛筆を送り出し、
前記収集装置は前記作動チャンバの前後左右の端壁に固定的に取り付けられた前記仕切板を含み、前記仕切板と前記動力軸とが回転できるように連結され、前記収集チャンバの後端壁には開けられる仕切板ドアが設置され、前記収集チャンバの中の削くずが多くなったら、前記仕切板ドアを開けて前記収集チャンバの中の削くずを取り出すことを特徴とする鉛筆削り。